【手続補正書】
【提出日】平成19年12月5日(2007.12.5)
【手続補正１】
【補正対象書類名】明細書
【補正対象項目名】特許請求の範囲
【補正方法】変更
【補正の内容】
【特許請求の範囲】
【請求項１】  順方向誤り訂正（ＦＥＣ）符号器をチャネルに適合させるための方法において、前記チャネルを介して、前記ＦＥＣ符号器によって符号化され又ＯＦＤＭ記号に変調されたデータが、データ伝送において受信側ネットワークノードへ送信される前記方法であって、
前記データ伝送に対応付けられた記号ブロックサイズを規定するためのチャネル情報を受信する段階であって、前記受信されたチャネル情報は、前記受信側ネットワークノードへの先行データ伝送に基づいている前記段階と、
前記受信されたチャネル情報に基づき、ＦＥＣ符号器の構成情報を計算する段階と、
前記構成情報に従い前記データに基づき動作するように前記ＦＥＣ符号器を構成する段階と、を含むことを特徴とする方法。
【請求項２】  請求項１に記載の方法であって、前記受信されたチャネル情報は、前記チャネルの特性に基づいていることを特徴とする方法。
【請求項３】  請求項２に記載の方法であって、前記受信されたチャネル情報は、変調タイプと前記チャネル用の前記変調タイプをサポート可能な搬送波を含むことを特徴とする方法。
【請求項４】  請求項３に記載の方法であって、前記記号ブロックサイズは、固定サイズと可変サイズとを含み、ＦＥＣ符号器構成値を計算する段階は、
前記チャネル情報から、前記固定サイズの記号ブロックの数と、前記可変サイズの末尾の記号ブロックに含まれる残りのデータバイト数とを求める段階と、
前記残りのデータバイト数、前記チャネル情報及び前記ＦＥＣ符号器に対応付けられた符号ブロックサイズから、前記残りのデータバイトを送信するための記号の数を計算する段階と、を含むことを特徴とする方法。
【請求項５】  請求項４に記載の方法であって、前記ＦＥＣ符号器には、インターリーバが含まれ、また、構成する段階には、
前記計算された記号の数と前記チャネル情報とに基づき、前記符号化データの末尾の可変サイズ記号ブロックを記憶するようにインターリーバを構成する段階が含まれることを特徴とする方法。
【請求項６】  請求項５に記載の方法であって、前記記号数を計算する段階は、
前記計算された残りのバイト数と、リードソロモンブロックのデータにおける最大情報バイト数とに基づき、リードソロモンブロックの数を計算する段階と、
前記残りのバイト数と前記リードソロモンブロックの数に基づき、リードソロモンブロ
ックサイズを計算する段階と、
前記計算されたリードソロモンブロックとブロックサイズからの符号化の後、前記記号に変調される合計ビット数を計算する段階と、を含むことを特徴とする方法。
【請求項７】  請求項６に記載の方法であって、前記ＦＥＣ符号器には、リードソロモン符号器が含まれ、また、計算する段階は、
前記末尾の可変サイズ記号ブロックにおけるリードソロモンバイトの最大数を計算する段階と、
前記末尾の可変サイズブロックにおけるリードソロモンバイトの最大数基づき、リードソロモンブロックサイズを計算する段階と、を含むことを特徴とする方法。
【請求項８】  請求項７に記載の方法であって、前記ＦＥＣ符号器には、重畳符号器が含まれ、また、前記リードソロモンバイトの最大数を計算する段階は、
前記チャネル情報から、符号化される合計ビット数を計算する段階と、
符号化される前記合計ビット数から、前記重畳符号器によって用いられる末尾ビットの数を減算し、差の値を生成する段階と、
前記差の値を８で除算する段階と、を含むことを特徴とする方法。
【請求項９】  請求項７に記載の方法であって、前記リードソロモンブロックサイズを計算する段階は、
前記リードソロモンバイトの最大数を用いて、前記末尾可変サイズ記号ブロックにおけるリードソロモンブロックの数を計算する段階と、
前記末尾可変サイズ記号ブロックにおける前記リードソロモンブロックの数によって除算された前記リードソロモンバイトの最大数に等しい商を求める段階と、
前記商をその次に小さい整数に切り捨て、新たな商とする段階と、
前記小さい方の新たな商と、前記リードソロモン符号器に対応付けられた最大ブロックサイズを選択する段階と、を含むことを特徴とする方法。
【請求項１０】  請求項７に記載の方法であって、構成する段階は、前記計算されたＲＳブロックの数と前記ＲＳブロックサイズに従ってリードソロモン符号器が動作するように構成することを特徴とする方法。
【請求項１１】  請求項１に記載の方法であって、前記受信されたチャネル情報は、変調タイプに対応付けられたチャネルマップを含むことを特徴とする方法。
【請求項１２】  請求項１１に記載の方法であって、前記チャネルマップは、前記チャネルマップが対応付けられた前記変調タイプをサポートするための搬送波を識別することを特徴とする方法。
【請求項１３】  順方向誤り訂正（ＦＥＣ）符号器とインターリーバとをチャネルに適合させるための方法において、前記チャネルを介して、前記ＦＥＣ符号器によって符号化され又ＯＦＤＭ記号に変調されたデータが、データ伝送において受信側ネットワークノードへ送信される前記方法であって、
前記データ伝送に対応付けられた記号ブロックサイズを規定するためのチャネル情報を受信する段階であって、前記受信されたチャネル情報は、前記受信側ネットワークノードへの先行データ伝送に基づいている前記段階と、
前記受信されたチャネル情報に基づき、ＦＥＣ符号器とインターリーバの構成情報を計算する段階と、
前記構成情報に従い前記データに基づき動作するように前記ＦＥＣ符号器とインターリーバを構成する段階と、を含むことを特徴とする方法。
【請求項１４】  順方向誤り訂正（ＦＥＣ）符号器をチャネルに適合させるためのコンピュータ読取り可能な媒体に常駐するコンピュータプログラムにおいて、前記チャネルを介して、前記ＦＥＣ符号器によって符号化され又ＯＦＤＭ記号に変調されたデータが、データ伝送において受信側ネットワークノードへ送信される前記コンピュータプログラムであって、
前記データ伝送に対応付けられた記号ブロックサイズを規定するためのチャネル情報を受信する段階であって、前記受信されたチャネル情報は、前記受信側ネットワークノード
への先行データ伝送に基づいている前記段階と、
前記受信されたチャネル情報に基づき、ＦＥＣ符号器の構成情報を計算する段階と、
前記構成情報に従い前記データに基づき動作するように前記ＦＥＣ符号器を構成する段階と、をコンピュータに実行させる命令が含まれていることを特徴とするコンピュータプログラム。
【請求項１５】  請求項１４に記載のコンピュータプログラムであって、前記受信されたチャネル情報は、前記チャネルの特性に基づいていることを特徴とするコンピュータプログラム。
【請求項１６】  請求項１５に記載のコンピュータプログラムであって、前記受信されたチャネル情報は、変調タイプと前記チャネル用の前記変調タイプをサポート可能な搬送波を含むことを特徴とするコンピュータプログラム。
【請求項１７】  請求項１６に記載のコンピュータプログラムであって、前記記号ブロックサイズは、固定サイズと可変サイズとを含み、また、ＦＥＣ符号器構成値を計算する段階用の命令には、
前記チャネル情報から、前記固定サイズの記号ブロックの数と、前記可変サイズの末尾の記号ブロックに含まれる残りのデータバイト数とを求める段階と、
前記残りのデータバイト数、前記チャネル情報及び前記ＦＥＣ符号器に対応付けられた符号ブロックサイズから、前記残りのデータバイトを送信するための記号の数を計算する段階と、をコンピュータに実行させる命令が含まれていることを特徴とするコンピュータプログラム。
【請求項１８】  請求項１７に記載のコンピュータプログラムであって、前記ＦＥＣ符号器には、インターリーバが含まれ、また、構成する段階用の命令には、
前記計算された記号の数と前記チャネル情報とに基づき、前記符号化データの末尾の可変サイズ記号ブロックを記憶するようにインターリーバを構成する段階をコンピュータに実行させる命令が含まれていることを特徴とするコンピュータプログラム。
【請求項１９】  請求項１８に記載のコンピュータプログラムであって、前記記号数を計算する段階用の命令には、
前記計算された残りのバイト数と、リードソロモンブロックのデータにおける最大情報バイト数とに基づき、リードソロモンブロックの数を計算する段階と、
前記残りのバイト数と前記リードソロモンブロックの数に基づき、リードソロモンブロックサイズを計算する段階と、
前記計算されたリードソロモンブロックとブロックサイズからの符号化の後、前記記号に変調される合計ビット数を計算する段階と、をコンピュータに実行させる命令が含まれていることを特徴とするコンピュータプログラム。
【請求項２０】  請求項１９に記載のコンピュータプログラムであって、前記ＦＥＣ符号器には、リードソロモン符号器が含まれ、また、計算する段階用の命令には、
前記末尾の可変サイズ記号ブロックにおけるリードソロモンバイトの最大数を計算する段階と、
前記末尾の可変サイズブロックにおけるリードソロモンバイトの最大数基づき、リードソロモンブロックサイズを計算する段階と、をコンピュータに実行させる命令が含まれていることを特徴とするコンピュータプログラム。
【請求項２１】  請求項２０に記載のコンピュータプログラムであって、前記ＦＥＣ符号器には、重畳符号器が含まれ、また、前記リードソロモンバイトの最大数を計算する段階用の命令には、
前記チャネル情報から、符号化される合計ビット数を計算する段階と、
符号化される前記合計ビット数から、前記重畳符号器によって用いられる末尾ビットの数を減算し、差の値を生成する段階と、
前記差の値を８で除算する段階と、をコンピュータに実行させる命令が含まれていることを特徴とするコンピュータプログラム。
【請求項２２】  請求項２０に記載のコンピュータプログラムであって、前記リード
ソロモンブロックサイズを計算する段階用の命令には、
前記リードソロモンバイトの最大数を用いて、前記末尾可変サイズ記号ブロックにおけるリードソロモンブロックの数を計算する段階と、
前記末尾可変サイズ記号ブロックにおける前記リードソロモンブロックの数によって除算された前記リードソロモンバイトの最大数に等しい商を求める段階と、
前記商をその次に小さい整数に切り捨て、新たな商とする段階と、
前記小さい方の新たな商と、前記リードソロモン符号器に対応付けられた最大ブロックサイズを選択する段階と、をコンピュータに実行させる命令が含まれていることを特徴とするコンピュータプログラム。
【請求項２３】  請求項２０に記載のコンピュータプログラムであって、構成する段階用の命令には、更に、前記計算されたＲＳブロックの数と前記ＲＳブロックサイズに従って動作するようにリードソロモン符号器を構成する段階をコンピュータに実行させる命令が含まれていることを特徴とするコンピュータプログラム。
【請求項２４】  請求項１４に記載のコンピュータプログラムであって、前記受信されたチャネル情報は、変調タイプに対応付けられたチャネルマップを含むことを特徴とするコンピュータプログラム。
【請求項２５】  請求項２４に記載のコンピュータプログラムであって、前記チャネルマップは、前記チャネルマップが対応付けられた前記変調タイプをサポートするための搬送波を識別することを特徴とするコンピュータプログラム。
【請求項２６】  順方向誤り訂正（ＦＥＣ）符号器をチャネルに適合させるための装置において、前記チャネルを介して、前記ＦＥＣ符号器によって符号化され又ＯＦＤＭ記号に変調されたデータが、データ伝送において受信側ネットワークノードへ送信される前記装置であって、
前記データ伝送に対応付けられた記号ブロックサイズを規定するチャネル情報を受信するための送信構成ユニットであって、前記受信されたチャネル情報は、前記受信側ネットワークノードへの先行データ伝送に基づくものであり、前記送信構成ユニットは、前記受信されたチャネル情報に基づき、ＦＥＣ符号器構成情報を計算する前記送信構成ユニットと、
前記送信構成ユニットと前記構成情報に従い前記データに基づき動作するように前記ＦＥＣ符号器を構成するための前記ＦＥＣ符号器とに接続された制御装置と、を含むことを特徴とする装置。
【請求項２７】  順方向誤り訂正（ＦＥＣ）符号器をチャネルに適合させるための装置において、前記チャネルを介して、前記ＦＥＣ符号器によって符号化され又ＯＦＤＭ記号に変調されたデータが、データ伝送において受信側ネットワークノードへ送信される前記装置であって、
前記データ伝送に対応付けられた記号ブロックサイズを規定するチャネル情報を受信するための手段であって、前記受信されたチャネル情報は、前記受信側ネットワークノードへの先行データ伝送に基づいている前記手段と、
前記受信されたチャネル情報に基づき、ＦＥＣ符号器構成情報を計算するための手段と、
前記構成情報に従い前記データに基づき動作するように前記ＦＥＣ符号器を構成するための手段と、を含むことを特徴とする装置。